【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
通信のための装置であって、
アクセス端末のモビリティ状態を判定するように構成され、前記モビリティ状態に基づいて少なくとも1つのアクセスポイントに関する分数周波数再利用を規定するようにさらに構成された処理システムであって、前記分数周波数再利用を規定するために、前記処理システムは、前記アクセス端末の前記モビリティ状態が運動しきい値を超えないと判定したことに応答して、前記アクセス端末に第1のサブバンドに関連する第1の送信電力と、第2のサブバンドに関連する第2の送信電力を割り当て、前記アクセス端末の前記モビリティ状態が運動しきい値を超えると判定したことに応答して、前記アクセス端末に前記第1のサブバンドに関連するより高い送信電力を割り当てるように構成され、前記より高い送信電力は前記第1の送信電力より大きい、処理システムと、
前記規定された分数周波数再利用の指示を送出するように構成された通信デバイスと
を含む、装置。
【請求項２】
前記分数周波数再利用の前記規定が、前記アクセス端末における干渉の低減をもたらす分数周波数再利用を識別することを含む、請求項1に記載の装置。
【請求項３】
前記モビリティ状態を判定するために、前記処理システムはさらに、前記アクセス端末がセル縁部に近いかどうかを判定するように構成される、請求項1に記載の装置。
【請求項４】
前記処理システムはさらに、前記アクセス端末から前記セル縁部までの距離が距離しきい値であるかどうかを判定するように構成される、請求項3に記載の装置。
【請求項５】
前記処理システムはさらに、前記アクセス端末によって測定される、前記少なくとも1つのアクセスポイントからの信号の信号強度に基づいて前記モビリティ状態を判定するように構成される、請求項1に記載の装置。
【請求項６】
前記処理システムはさらに、前記アクセス端末に関連するリンクの品質に基づいて前記モビリティ状態を判定するように構成される、請求項1に記載の装置。
【請求項７】
前記分数周波数再利用の前記規定は、前記リンクの前記品質が品質しきい値以下である場合、前記少なくとも1つのアクセスポイントに関する分数周波数再利用を起動するか、または変更することを含む、請求項6に記載の装置。
【請求項８】
前記処理システムは、別のアクセス端末の少なくとも1つの他のモビリティ状態を判定するようにさらに構成され、前記判定された少なくとも1つの他のモビリティ状態に基づいて前記少なくとも1つのアクセスポイントに関する他の分数周波数再利用を規定するようにさらに構成され、
前記通信デバイスは、前記規定された他の分数周波数再利用の別の指示を送出するようにさらに構成される、
請求項1に記載の装置。
【請求項９】
前記モビリティ状態を判定するために、前記処理システムはさらに、前記アクセス端末の速度を判定するように構成される、請求項1に記載の装置。
【請求項１０】
前記モビリティ状態を判定するために、前記処理システムはさらに、前記アクセス端末の運動方向を判定するように構成される、請求項1に記載の装置。
【請求項１１】
前記モビリティ状態を判定するために、前記処理システムはさらに、前記アクセス端末のハンドオーバの頻度を判定するように構成される、請求項1に記載の装置。
【請求項１２】
前記処理システムはさらに、前記複数のアクセスポイントのうちの少なくとも2つの間で前記アクセス端末がピンポン交渉しているかどうかに基づいて前記モビリティ状態を判定するように構成される、請求項1に記載の装置。
【請求項１３】
前記装置は、前記アクセス端末にサービス中のアクセスポイントを含み、
前記通信デバイスは、少なくとも1つの他のアクセスポイントに前記指示を送信するようにさらに構成され、前記指示は、前記アクセスポイントに、別のアクセス端末のモビリティ状態に基づいて、前記アクセス端末に前記第2のサブバンドに関連するより高い送信電力を割り当てるように構成され、前記より高い送信電力は前記第2の送信電力より大きい、
請求項1に記載の装置。
【請求項１４】
前記装置は、前記アクセス端末にサービス中のアクセスポイントを備え、前記規定することは、前記サービス中のアクセスポイントおよび前記少なくとも1つの他のアクセスポイントに関する分数周波数再利用パラメータを選択するために前記サービス中のアクセスポイントと前記少なくとも1つの他のアクセスポイントとの間でネゴシエートすることをさらに含む、請求項1に記載の装置。
【請求項１５】
前記分数周波数再利用を規定するために、前記処理システムはさらに、前記アクセス端末の前記モビリティ状態が前記運動しきい値を超えたと判定したことにさらに応答して、前記アクセス端末に前記第2のサブバンドに関連するより低い送信電力を割り当てるように構成され、前記より低い送信電力は前記第2の送信電力より小さい、請求項1に記載の装置。
【請求項１６】
通信の方法であって、
アクセス端末のモビリティ状態を判定するステップと、
前記モビリティ状態に基づいて少なくとも1つのアクセスポイントに関する分数周波数再利用を規定するステップであって、前記既定するステップは、前記アクセス端末の前記モビリティ状態が運動しきい値を超えないと判定したことに応答して、前記アクセス端末に第1のサブバンドに関連する第1の送信電力と、第2のサブバンドに関連する第2の送信電力を割り当て、前記アクセス端末の前記モビリティ状態が運動しきい値を超えると判定したことに応答して、前記アクセス端末に前記第1のサブバンドに関連するより高い送信電力を割り当てるステップを含み、前記より高い送信電力は前記第1の送信電力より大きい、ステップと、
前記規定された分数周波数再利用の指示を送出するステップと
を含む、方法。
【請求項１７】
前記規定することが、前記アクセス端末における干渉の低減をもたらす分数周波数再利用を識別することを含む、請求項16に記載の方法。
【請求項１８】
前記判定することは、前記アクセス端末がセル縁部に近いかどうかを判定することをさらに含む、請求項16に記載の方法。
【請求項１９】
前記モビリティ状態を判定することは、前記アクセス端末から前記セル縁部までの距離が距離しきい値であるかどうかを判定することをさらに含む、請求項18に記載の方法。
【請求項２０】
前記モビリティ状態を判定することは、前記アクセス端末によって測定される、前記少なくとも1つのアクセスポイントからの信号の信号強度に基づいて前記モビリティ状態を判定することを含む、請求項16に記載の方法。
【請求項２１】
前記モビリティ状態を判定することが、前記アクセス端末に関連するリンクの品質に基づいて前記モビリティ状態を判定することをさらに含む、請求項16に記載の方法。
【請求項２２】
前記規定することは、前記リンクの前記品質が品質しきい値以下である場合、前記少なくとも1つのアクセスポイントに関する分数周波数再利用を起動するか、または変更することをさらに含む、請求項21に記載の方法。
【請求項２３】
別のアクセス端末の少なくとも1つの他のモビリティ状態を判定するステップと、
前記判定された少なくとも1つの他のモビリティ状態に基づいて前記少なくとも1つのアクセスポイントに関する他の分数周波数再利用を規定するステップと、
前記規定された他の分数周波数再利用の別の指示を送出するステップと
をさらに含む、請求項16に記載の方法。
【請求項２４】
前記モビリティ状態を判定することが、前記アクセス端末の速度に基づいて前記モビリティ状態を判定することをさらに含む、請求項16に記載の方法。
【請求項２５】
前記判定することが、前記アクセス端末の運動方向に基づいて前記モビリティ状態を判定することをさらに含む、請求項16に記載の方法。
【請求項２６】
前記判定することが、前記アクセス端末のハンドオーバの頻度に基づいて前記モビリティ状態を判定することをさらに含む、請求項16に記載の方法。
【請求項２７】
前記モビリティ状態を判定することは、前記複数のアクセスポイントのうちの少なくとも2つの間で前記アクセス端末がピンポン交渉しているかどうかに基づいて前記モビリティ状態を判定することをさらに含む、請求項16に記載の方法。
【請求項２８】
前記方法は前記アクセス端末にサービス中のアクセスポイントにより実行され、前記指示を送出するステップは、少なくとも1つの他のアクセスポイントに前記指示を送信するステップを含み、前記指示は、前記アクセスポイントに、別のアクセス端末のモビリティ状態に基づいて、前記アクセス端末に前記第2のサブバンドに関連するより高い送信電力を割り当てるように構成され、前記より高い送信電力は前記第2の送信電力より大きい、請求項16に記載の方法。
【請求項２９】
前記方法は前記アクセス端末にサービス中のアクセスポイントにより実行され、前記既定することは、前記サービス中のアクセスポイントおよび前記少なくとも1つの他のアクセスポイントに関する分数周波数再利用パラメータを選択するために前記サービス中のアクセスポイントと前記少なくとも1つの他のアクセスポイントとの間でネゴシエートすることを含む、請求項16に記載の方法。
【請求項３０】
通信のための装置であって、
アクセス端末のモビリティ状態を判定するための手段と、
前記モビリティ状態に基づいて少なくとも1つのアクセスポイントに関する分数周波数再利用を規定するための手段であって、前記既定するための手段は、前記アクセス端末の前記モビリティ状態が運動しきい値を超えないと判定したことに応答して、前記アクセス端末に第1のサブバンドに関連する第1の送信電力と、第2のサブバンドに関連する第2の送信電力を割り当てるための手段と、前記アクセス端末の前記モビリティ状態が運動しきい値を超えると判定したことに応答して、前記アクセス端末に前記第1のサブバンドに関連するより高い送信電力を割り当てるための手段を含み、前記より高い送信電力は前記第1の送信電力より大きい、手段と、
前記規定された分数周波数再利用の指示を送出するための手段と
を含む、装置。
【請求項３１】
前記規定するための手段が、前記アクセス端末における干渉の低減をもたらす分数周波数再利用を識別するための手段を含む、請求項30に記載の装置。
【請求項３２】
前記モビリティ状態を判定するための手段は、前記アクセス端末がセル縁部に近いかどうかを判定するための手段をさらに含む、請求項30に記載の装置。
【請求項３３】
前記アクセス端末がセル縁部に近いかどうかを判定するための手段は、前記アクセス端末から前記セル縁部までの距離が距離しきい値であるかどうかを判定するための手段を含む、請求項32に記載の装置。
【請求項３４】
前記モビリティ状態を判定するための手段が、前記アクセス端末に関連するリンクの品質に基づいて前記モビリティ状態を判定するための手段をさらに含む、請求項30に記載の装置。
【請求項３５】
前記規定するための手段は、前記リンクの前記品質が品質しきい値以下である場合、前記少なくとも1つのアクセスポイントに関する分数周波数再利用を起動するか、または変更するための手段をさらに含む、請求項34に記載の装置。
【請求項３６】
コンピュータプログラムであって、
コンピュータに、
アクセス端末のモビリティ状態を判定させ、
前記モビリティ状態に基づいて少なくとも1つのアクセスポイントに関する分数周波数再利用を規定させ、
前記規定された分数周波数再利用の指示を送出させる
ためのコードを含み、
前記既定するステップは、前記アクセス端末の前記モビリティ状態が運動しきい値を超えないと判定したことに応答して、前記アクセス端末に第1のサブバンドに関連する第1の送信電力と、第2のサブバンドに関連する第2の送信電力を割り当て、前記アクセス端末の前記モビリティ状態が運動しきい値を超えると判定したことに応答して、前記アクセス端末に前記第1のサブバンドに関連するより高い送信電力を割り当てるステップを含み、前記より高い送信電力は前記第1の送信電力より大きい、
コンピュータプログラム。
【請求項３７】
前記判定することは、前記アクセス端末における干渉の低減をもたらす分数周波数再利用を識別することを含む、請求項36に記載のコンピュータプログラム。
【請求項３８】
前記モビリティ状態を判定することは、前記アクセス端末がセル縁部に近いかどうかを判定することをさらに含む、請求項36に記載のコンピュータプログラム。
【請求項３９】
前記モビリティ状態を判定することは、前記アクセス端末から前記セル縁部までの距離が距離しきい値であるか、または前記距離しきい値内であるかどうかを判定することを含む、請求項38に記載のコンピュータプログラム。
【請求項４０】
前記モビリティ状態を判定することが、前記アクセス端末に関連するリンクの品質に基づいて前記モビリティ状態を判定することを含む、請求項36に記載のコンピュータプログラム。
【請求項４１】
前記規定することは、前記リンクの前記品質が品質しきい値以下である場合、前記少なくとも1つのアクセスポイントに関する分数周波数再利用を起動するか、または変更することを含む、請求項40に記載のコンピュータプログラム。